(57)【要約】【課題】放熱用金属板に、直接、熱硬化性組成物を貼り付けることにより、熱伝導性基板の製造工程を簡単にする。【解決手段】本発明は、軟体の熱硬化性組成物１を、板状の放熱用金属板１４上に塗布し、その後、前記放熱用金属板１４とは反対の面に板状のリードフレーム２を当接させて一体化し、熱伝導性基板２１を形成する。このことにより、放熱用金属板に直接、熱硬化性組成物を貼り付けるものであり工程が簡素化できるものである。【選択図】図１
2006156722.tif 000002
【特許請求の範囲】
【請求項１】
熱硬化性樹脂と熱伝導性フィラーを成分として含む軟体の熱硬化性組成物を、板状の放熱用金属板上に塗布し、次に前記熱硬化性組成物の前記放熱用金属板とは反対面に、配線パターンを有する板状のリードフレームを当接一体化し、その後前記熱硬化性組成物を加熱硬化する熱伝導性基板の製造方法。
【請求項２】
リードフレームの配線パターンは、板体からこの配線パターンの外周の少なくとも一部を打抜いて形成したものとし、この配線パターンの打抜き側面に前記熱硬化性組成物を当接させ、このリードフレームの前記打抜き側面とは反対側面に下金型を当接させ、放熱用金属板側から上金型により前記熱硬化性組成物をリードフレーム側に押圧する請求項１に記載の熱伝導性基板の製造方法。
【請求項３】
熱硬化性樹脂と熱伝導性フィラーを成分として含む軟体の熱硬化性組成物を、シート状に押し出し成形しながら板状の放熱用金属板上に乗せていくことを特徴とする請求項１記載の熱伝導性基板の製造方法。
【請求項４】
熱硬化性樹脂と熱伝導性フィラーを成分として含む軟体の熱硬化性組成物を、棒状に押し出し成形しながら板状の放熱用金属板上に乗せていくことを特徴とする請求項１記載の熱伝導性基板の製造方法。
【請求項５】
熱硬化性樹脂と熱伝導性フィラーを成分として含む軟体の熱硬化性組成物を、シート状あるいは棒状に押し出し成形しながら板状の放熱用金属板上に複数列乗せていくことを特徴とする請求項３あるいは４に記載の熱伝導性基板の製造方法。
【請求項６】
熱硬化性樹脂と熱伝導性フィラーを成分として含む軟体の熱硬化性組成物を、棒状に押し出し成形しながら板状の放熱用金属板上に連続して一定の長さ載せた後にユーターンして反対方向に向かって乗せていくという動作を繰り返していくことを特徴とする請求項４に記載の熱伝導性基板の製造方法。
【請求項７】
板状の放熱用金属板をＸ−Ｙテーブルに載せて平面方向に自在に動かして行うことを特徴とする請求項３から６のいずれか１つに記載の熱伝導性基板の製造方法。
【請求項８】
押出し成形に供する熱硬化性組成物は、３０〜５０℃における溶融粘度が５〜１００Ｐａ・ｓであることを特徴とする請求項３から６のいずれか１つに記載の熱伝導性基板の製造方法。
【請求項９】
熱硬化性組成物を押出し成形する際に押し出し成形機あるいはモーノポンプあるいはディスペンサーを用いることを特徴とする請求項３から６のいずれか１つに記載の熱伝導性基板の製造方法。
【請求項１０】
熱硬化性組成物を押出し成形する際に熱硬化性組成物の温度を３０℃から７０℃にして行うことを特徴とする請求項９に記載の熱伝導性基板の製造方法。
【請求項１１】
少なくとも片面を粗面化した放熱用金属板を熱硬化性組成物に対向して配置し、粗面化した前記放熱用金属板の前記片面を前記熱硬化性組成物に当接させて貼付し、前記熱硬化性組成物を加熱硬化する請求項１記載の熱伝導性基板の製造方法。
【請求項１２】
放熱用金属板とリードフレームは、銅材よりなることを特徴とする請求項１あるいは２に記載の熱伝導性基板の製造方法。
【請求項１３】
熱硬化性組成物を加熱硬化して発生する放熱用金属板の反りと逆方向の反りを、この放熱用金属板に対しあらかじめ形成し、その後前記熱硬化性組成物を加熱硬化する請求項１あるいは２に記載の熱伝導性基板の製造方法。
【請求項１４】
放熱用金属板を回動自在なローラの外周面に加圧させながら移動させ、逆方向の反りを曲げ加工により形成する請求項１３記載の熱伝導性基板の製造方法。
【請求項１５】
前記熱硬化性組成物を加熱硬化して発生する放熱用金属板の反りに対応する逆方向の反りを、金型により加工し、曲げ加工により放熱用金属板に形成する請求項１３記載の熱伝導性基板の製造方法。
【請求項１６】
金型を所定温度に加熱したことを特徴とする請求項１５記載の熱伝導性基板の製造方法。
【請求項１７】
シート状あるいは棒状に押し出し成形しながら板状の放熱用金属板上に乗せられた熱硬化性組成物を常温にて一定時間放置して自然に一定の厚みまで伸び広がらせる、あるいは複数列の場合はこれらを一体化させ、一定の厚みまで伸び広がらせることを特徴とする請求項３あるいは４に記載の熱伝導性基板の製造方法。
【請求項１８】
シート状あるいは棒状に押し出し成形しながら板状の放熱用金属板上に乗せられた熱硬化性組成物を３０℃から７０℃にて一定時間放置することを特徴とする請求項１７に記載の熱伝導性基板の製造方法。
【発明の詳細な説明】
【技術分野】
【０００１】
本発明は、電子機器における大電力回路などに使用される、熱伝導性基板の製造方法に関するものである。
【背景技術】
【０００２】
近年、電子機器の高性能化や小型化の要求にともない、半導体およびその半導体を実装するパッケージなどの高密度化や高機能化が要求される。
【０００３】
前記により、それらを実装するための回路基板もまた小型・高密度の構造が必要となり、更に、その小型・高密度化により熱伝導性、放熱性の優れた回路基板が要求されるようになった。そこで、熱硬化性樹脂と熱伝導性フィラーとを混合した熱硬化性組成物を、リードフレームと一体化した熱伝導性基板が提案された。
【０００４】
従来における熱伝導性基板の製造方法を、図７を用いて説明する。なお、１３は回転および移動自在な硬質弾性体（回転体）でなる押圧部材のローラである。
【０００５】
まず、図７（ａ）に示すフィルム１２に積層された、熱硬化性組成物を押し出し成形機などでシート化した熱伝導シート６と、放熱用金属板１４とを積層する。すなわち、図７（ｂ）に示すように、フィルム１２が熱伝導シート６に対して放熱用金属板１４側とは反対側（図７（ｂ）では、上側）に位置するように放熱用金属板１４に対向させて配置し、フィルム１２に積層された熱伝導シート６の一端を放熱用金属板１４に当接させる。
【０００６】
そして、ローラ１３をフィルム１２の上面、すなわち放熱用金属板１４側とは反対側から、フィルム１２を介して熱伝導シート６を放熱用金属板１４に押圧する。さらに引き続き、ローラ１３を熱伝導シート６の一端から他端へと図７（ｂ）の矢印のごとく押圧しながら移動させる。
【０００７】
次に、図７（ｃ）に示すように、フィルム１２を熱伝導シート６から剥離して取り除く。続いて放熱用金属板１４を形成した面とは反対の熱伝導シート６面にリードフレーム２を積層し、リードフレーム２または放熱用金属板１４を保持して加熱加圧する硬化工程に移動し、加熱しながら放熱用金属板１４を介して熱伝導シート６の全面を同時に加圧させる。
【０００８】
すると、図７（ｄ）に示すように熱伝導シート６における熱硬化性組成物の一部が、リードフレーム２の貫通溝３に浸入し、熱伝導シート６が熱硬化するとともに、熱伝導シート６とリードフレーム２、および放熱用金属板１４は一体化された構成となる。
【０００９】
次に図７（ｅ）に示すように、前記硬化工程終了後、リードフレーム２の不要部分を切断除去し、かつ折り曲げ加工により外部回路との接続用の端子４を形成して、電子機器用の大電力回路を構成する所定の熱伝導性基板２１を形成する。なお、この熱伝導性基板２１のリードフレーム２の配線パターン上には、後工程にて電子部品などを搭載する。
【００１０】
なお、この出願の発明に関連する先行技術文献情報としては、例えば、特許文献１が知られている。
【特許文献１】特開２００３−１５２１４８号公報
【発明の開示】
【発明が解決しようとする課題】
【００１１】
前記従来の熱伝導性基板２１の製造方法は、リードフレーム２の所定位置に搭載した熱伝導シート６の上面に放熱用金属板１４をその当接面のほぼ全体を同時に重ね合せて積層し、加熱加圧して圧縮成形するのであるが、事前に熱伝導シート６を製作しなければならず、工程が多いだけでなく熱伝導シート６を乗せるための基材も必要となり、コストがかかるという問題点を有していた。
【００１２】
本発明は、前記課題を解決しようとするものであり、放熱用金属板に直接、熱硬化性組成物を貼り付けるものであり工程が簡単な熱伝導性基板の製造方法を提供することを目的とするものである。
【課題を解決するための手段】
【００１３】
前記課題を解決するために本発明の熱伝導性基板の製造方法は、以下の構成を有する。
【００１４】
本発明の請求項１記載の発明は、熱硬化性樹脂と熱伝導性フィラーを成分として含む軟体の熱硬化性組成物を、板状の放熱用金属板上に塗布し、次に前記熱硬化性組成物の前記放熱用金属板とは反対面となる前記熱硬化性組成物の形成面に、配線パターンを有する板状のリードフレームを当接一体化し、その後前記熱硬化性組成物を加熱硬化する熱伝導性基板の製造方法であり、放熱用金属板に直接、熱硬化性組成物を貼り付けるものであり工程が簡素化できるという作用を有する。
【００１５】
本発明の請求項２に記載の発明は、リードフレームの配線パターンを、板体からこの配線パターンの外周の少なくとも一部を打抜いて形成したものとし、この配線パターンの打抜き側面に熱硬化性組成物を当接させ、このリードフレームの前記打抜き側面とは反対側面に下金型を当接させ、放熱用金属板側から上金型により熱硬化性組成物をリードフレーム側に押圧する熱伝導性基板の製造方法であって、リードフレームの打抜き側における配線パターンの両側は湾曲した状態となるので、熱硬化性組成物の内部および配線パターン、熱硬化性組成物間に存在していた空気は配線パターン間にスムーズに流動することとなり、この結果として配線パターン間は前記熱硬化性組成物で充満された状態となって配線パターンの定形性が高まり、また前記空気は配線パターン、熱硬化性組成物間からスムーズに脱気することができるので、配線パターンから熱硬化性組成物を介しての放熱用金属板への熱伝導性が高まる。
【００１６】
また、この様なリードフレームと熱硬化性組成物の一体化時に配線パターンの打抜き側面とは反対側面に下金型を当接させているので、下金型に接する配線パターン面に熱硬化性組成物が漏れ広がることが少なくなる。
【００１７】
つまり、配線パターンの打抜き側とは反対側には、この打抜き時に形成されるバリが配線パターンの両側に突出しており、このバリが下金型に当接して丁度堰の作用を果たし、この堰によって上記熱硬化性組成物の漏れ広がりを抑制することができるのである。
【００１８】
そしてこの様に配線パターンの熱硬化性組成物とは反対側面に熱硬化性組成物が漏れ広がることが少なくなれば、この面から不要な熱硬化性組成物を除去する工程が簡略化、または廃止することができる。つまり配線パターンのこの面は各種電子部品の実装スペースであったり、電子部品の電気的接続スペースであったりするので、不要物の付着は好ましくなく、よってこの付着があれば除去しなければならないのである。
【００１９】
本発明の請求項３記載の発明は、熱硬化性樹脂と熱伝導性フィラーを成分として含む軟体の熱硬化性組成物を、シート状に押し出し成形しながら板状の放熱用金属板上に乗せていくことを特徴とする請求項１記載の熱伝導性基板の製造方法で、放熱用金属板に直接シート状の熱硬化性組成物を貼り付けるものであり、一度に広い面積に塗布でき、また樹脂厚みも一定にしやすく、工程が簡素化できると同時に品質の安定化と生産の効率化を実現するという作用を有する。
【００２０】
本発明の請求項４記載の発明は、熱硬化性樹脂と熱伝導性フィラーを成分として含む軟体の熱硬化性組成物を、棒状に押し出し成形しながら板状の放熱用金属板上に乗せていくことを特徴とする請求項１記載の熱伝導性基板の製造方法で、放熱用金属板に直接、棒状の熱硬化性組成物を貼り付けるものであり、シート状に比べて樹脂粘度が高くても押し出しし易く、工程の簡素化を容易に実現しやすいという作用効果を有する。
【００２１】
本発明の請求項５記載の発明は、熱硬化性樹脂と熱伝導性フィラーを成分として含む軟体の熱硬化性組成物を、シート状あるいは棒状に押し出し成形しながら板状の放熱用金属板上に複数列乗せていくことを特徴とする請求項３あるいは４に記載の熱伝導性基板の製造方法であり、少量の樹脂を多列に塗布することにより全体の樹脂量の精度を高めることができる。また、それぞれの列の長さを調整することにより全体の塗布量のバランスを調整し易いという作用効果を有する。
【００２２】
本発明の請求項６記載の発明は、熱硬化性樹脂と熱伝導性フィラーを成分として含む軟体の熱硬化性組成物を、棒状に押し出し成形しながら板状の放熱用金属板上に連続して一定の長さ載せた後にユーターンして反対方向に向かって乗せていくという動作を繰り返していくことを特徴とする請求項４に記載の熱伝導性基板の製造方法であり、無駄のない塗布を行うことができ、熱硬化性組成物の形成効率を高めることができるという作用効果を有する。
【００２３】
本発明の請求項７記載の発明は、板状の放熱用金属板をＸ−Ｙテーブルに載せて平面方向に自在に動かして熱硬化性組成物の塗布による形成を行うことを特徴とする請求項３から６のいずれか１つに記載の熱伝導性基板の製造方法であり、樹脂の粘度バラツキに応じて容易に塗布形態を変化させることができるという作用効果を有する。
【００２４】
本発明の請求項８記載の発明は、押出し成形に供する熱硬化性組成物を、３０〜５０℃（室温領域）における溶融粘度が５〜１００Ｐａ・ｓとするものであり、それにより、溶融粘度が高すぎる場合に前記熱伝導シートに発生するクラックを抑制し、かつ、溶融粘度が低すぎる場合に発生する端部のだれを抑制し、膜厚精度を高め、固形状でありながらも軟質の前記熱硬化性組成物を、作業性よく、容易に、シート形状に成形することができるという作用効果を有する。
【００２５】
本発明の請求項９記載の発明は、熱硬化性組成物を押出し成形する際に押し出し成形機あるいはモーノポンプあるいはディスペンサーを用いることを特徴とする請求項３から６のいずれか１つに記載の熱伝導性基板の製造方法であり、これらの方式は粘度状の樹脂を安定して供給することができ、安定した生産を可能にするという作用効果を有する。
【００２６】
本発明の請求項１０記載の発明は、熱硬化性組成物を押出し成形する際に熱硬化性組成物の温度を３０℃から７０℃にして行うことを特徴とする請求項９に記載の熱伝導性基板の製造方法であり、硬化しない範囲で温度を上げることにより粘度を下げて流動性をよくし、塗布量を安定化できるという作用効果を有する。
【００２７】
本発明の請求項１１記載の発明は、少なくとも片面を粗面化した放熱用金属板を熱硬化性組成物に対向して配置し、粗面化した前記放熱用金属板の前記片面を前記熱硬化性組成物に当接させて貼付するものであり、前記放熱用金属板に対する前記熱硬化性組成物の密着力を高めることができるという作用効果を有する。
【００２８】
本発明の請求項１２記載の発明は、前記放熱用金属板と前記リードフレームとを銅材より構成したことにより、前記放熱用金属板からの放熱特性を高めるとともに、前記放熱用金属板と前記リードフレームの線膨張係数を同一にしたものであり、熱硬化性組成物を加熱硬化した後の前記放熱用金属板と前記リードフレームによる熱伝導性基板の反りを抑制することができるという作用効果を有する。
【００２９】
本発明の請求項１３記載の発明は、前記放熱用金属板に貼付した前記熱硬化性組成物を加熱硬化して発生する前記放熱用金属板の反りと逆方向の反りを、前記放熱用金属板に対しあらかじめ形成し、その後前記熱硬化性組成物を加熱硬化するものであり、前記熱硬化性組成物を加熱硬化後の前記放熱用金属板の反りを抑制し、高精度の熱伝導性基板を実現できるという作用効果を有する。
【００３０】
本発明の請求項１４記載の発明は、前記放熱用金属板を回動自在なローラの外周面に加圧させながら移動させ、前記逆方向の反りを曲げ加工により形成するものであり、前記放熱用金属板の加熱硬化した後の反りに対する事前の補整加工を、板状の前記放熱用金属板の一方向に対し容易にかつ確実に実施でき、これにより前記熱硬化性組成物を加熱硬化後の前記放熱用金属板の反りを抑制し、高精度の熱伝導性基板を実現できるという作用効果を有する。
【００３１】
本発明の請求項１５記載の発明は、前記放熱用金属板に貼付した前記熱硬化性組成物を加熱硬化して発生する前記放熱用金属板の反りに対応する前記逆方向の反りを、金型により加工し、曲げ加工により前記放熱用金属板に形成するものであり、前記放熱用金属板の加熱硬化後の反りに対する事前の補整加工を、板状の前記放熱用金属板の２方向に対し容易にかつ確実に実施でき、これにより前記熱硬化性組成物を加熱硬化した後の前記放熱用金属板の反りを抑制し、高精度の熱伝導性基板を実現できるという作用効果を有する。
【００３２】
本発明の請求項１６記載の発明は、前記リードフレームに貼付した前記熱硬化性組成物を加熱硬化して発生する前記リードフレームの反りに対応する前記逆方向の反りを、加熱した金型を前記リードフレームに加圧し、曲げ加工して形成することにより、前記リードフレームの加熱硬化後の反りに対する事前の補整加工を、板状の前記リードフレームの２方向に対しより容易にかつ確実に実施でき、前記熱硬化性組成物を加熱硬化した後の前記リードフレームの反りを抑制し、高精度の熱伝導性基板を実現できるという作用効果を有する。
【００３３】
本発明の請求項１７記載の発明は、シート状あるいは棒状に押し出し成形しながら板状の放熱用金属板上に乗せられた熱硬化性組成物を常温にて一定時間放置して自然に一定の厚みまで伸び広がらせる、あるいは複数列の場合はこれらを一体化させ、一定の厚みまで伸び広がらせることを特徴とする請求項３あるいは４に記載の熱伝導性基板の製造方法であり、熱硬化性組成物を伸び広がらせることにより加圧時に熱硬化性組成物が素早く隅々まで行き渡ることができ、充填不足を防ぐことができる。また、複数列の場合はこれらを一体化させることにより加圧時に熱硬化性組成物とリードフレームとの間に噛み込む空気の量を減らすことができ、成形後のボイド発生を防ぐことができるという作用効果を有する。
【００３４】
本発明の請求項１８記載の発明は、シート状あるいは棒状に押し出し成形しながら板状の放熱用金属板上に乗せられた熱硬化性組成物を３０℃から７０℃にて一定時間放置することを特徴とする請求項１７に記載の熱伝導性基板の製造方法であり、温度を上げることにより熱硬化性組成物の粘度を下げ、素早く一定の厚みまで伸び広がらせることができるという作用効果を有する。
【発明の効果】
【００３５】
以上のように本発明による熱伝導性基板の製造方法によれば、放熱用金属板に直接、熱硬化性組成物を貼り付けることにより工程が簡単な熱伝導性基板の製造方法を提供することができ、従来のように事前に熱伝導シートを製作する工程や熱伝導シートを乗せるための基材が不要となり、コストを抑えることができる。また、放熱用金属板に直接、熱硬化性組成物を塗布する場合に塗布量を調整することにより全体の熱硬化性組成物のバランスをとることが容易にでき、安定した熱硬化性組成物の製造を実現することができる。
【発明を実施するための最良の形態】
【００３６】
以下、本発明の実施の形態における熱伝導性基板の製造方法について図面を用いて説明する。図１は本発明の実施の形態における熱伝導性基板の製造方法を説明する製造工程図、図２は同熱伝導シートと放熱用金属板の積層を示す側面図、図３は同熱伝導性基板の側断面図、図４は同反りの事前補整を説明する側断面図、そして図５は同反り補整加工の方法を説明する側面図、図６は図１の（ｃ）〜（ｄ）の加工工程を示したもの、図７は従来の熱伝導性基板の製造方法を説明する製造工程図である。
【００３７】
なお、従来の技術で説明した構成部材については同一の符号を付与し、詳細な説明は簡略化する。
【００３８】
図１（ａ）は、硬化性樹脂となるエポキシ樹脂と、アルミナ、窒化アルミ、あるいは炭化珪素などの無機の熱伝導性フィラーとを含んだ室温領域（３０から５０℃）における溶融粘度が５〜１００Ｐａ・ｓの熱硬化性組成物１を、モーノポンプ５により放熱用金属板１４上に一筆書きを描くように塗布した状態である。この時、複数列の塗布が行われているが、最初の列は長さが短く、この部分の樹脂量を調整している。
【００３９】
図１（ｂ）は前記塗布された熱硬化性組成物１を一定時間（たとえば常温で２４時間）放置後の状態を示す。熱硬化性組成物１は放熱用金属板１４上で広がり、加圧時に熱硬化性組成物１が素早く隅々まで行き渡ることができ、充填不足を防ぐことができる状態になっている。
【００４０】
次に、図１（ｃ）に示すように、放熱用金属板１４を形成した面とは反対の熱硬化性組成物１側面にリードフレーム２を積層し、リードフレーム２または放熱用金属板１４を保持して加熱加圧する硬化工程に移動し、加熱しながら放熱用金属板１４を介して熱硬化性組成物１の全面を同時に加圧させる。
【００４１】
すると、図１（ｄ）に示すように熱硬化性組成物１の一部が、リードフレーム２の貫通溝３に浸入し、熱硬化性組成物１中の樹脂が熱硬化するとともに、熱硬化性組成物１とリードフレーム２、および放熱用金属板１４は一体化された構成となる。
【００４２】
次に図１（ｅ）に示すように、前記硬化工程終了後、リードフレーム２の不要部分を切断除去し、かつ折り曲げ加工により外部回路との接続用の端子４を形成して、電子機器用の大電力回路を構成する所定の熱伝導性基板２１を形成する。なお、この熱伝導性基板２１のリードフレーム２の配線パターン上には、後工程にて電子部品などを搭載する。
【００４３】
なお、熱硬化性組成物１は、押し出し成形方法でシート形状に形成して放熱用金属板１４上に塗布することができる。
【００４４】
また、図２に示す、本発明に使用するリードフレーム２は、例えば鉄、アルミニウム、銀、銅あるいはそれらの合金材などでなる導電性および熱伝導性金属板よりなり、電子部品を搭載するための所定の配線パターンを有し、また、外部回路との接続用の端子４も有している。そのリードフレーム２の少なくとも片面（図２の上面側）は、熱硬化性組成物１に対して密着性をよくするためにエッチング、サンドブラストあるいはグラインダーなどにより粗面化しており、また、端子４部は、腐食防止用、かつ半田付け性向上のためのめっきを施してある。なお、リードフレーム２の材質は、配線パターンを形成して高効率に電気信号を伝えるために、特に高導電性の銅材とすることで、特に電気特性の良好な熱伝導性金属板を構成することができる。
【００４５】
１４は、熱伝導性の高い、鉄、銅、アルミニウムあるいはそれらの合金などの金属材でなる放熱用金属板である。この放熱用金属板１４は、リードフレーム２を設けた熱硬化性組成物１の面とは反対の面に積層して設け、熱伝導性基板２１を構成している。これにより、熱伝導性基板２１の熱伝導性および放熱性を、一層、向上することができる。
【００４６】
なお、放熱用金属板１４の少なくとも片面（図２の下面側）を、エッチング、サンドブラストあるいはグラインダーなどにより粗面化して、その粗面化した面を熱硬化性組成物１に当接させて形成することにより、放熱用金属板１４の密着強度の高い熱伝導性金属板を構成することができる。
【００４７】
さて、前記で説明した熱伝導性基板２１が、図３（ａ）に示すように、熱硬化性組成物１の硬化工程などの各種工程を経ることにより、熱硬化性組成物１と放熱用金属板１４の熱膨張係数の相違により、反りが発生する場合がある。その際には、図３（ｂ）に示すように、硬化工程の前工程において、硬化工程後の反りとは逆方向の反りを、あらかじめ放熱用金属板１４に対し曲げ加工により形成することで、硬化工程後の熱伝導性基板２１の完成製品における反りが矯正されて、その発生を防止し、高精度の製品形状を有する熱伝導性基板２１を形成することができる。
【００４８】
なお、熱伝導性基板２１の硬化工程では、リードフレーム２の熱膨張係数が作用して熱伝導性基板２１に反りが発生する場合もあるが、そのリードフレーム２の熱膨張係数を考慮して、あらかじめ放熱用金属板１４またはリードフレーム２に対し、硬化工程後の反りとは逆方向の反りを曲げ加工により形成することで、より一層の高精度な製品形状を有する熱伝導性基板２１を形成することができる。
【００４９】
また、放熱用金属板１４とリードフレーム２とを同一材（たとえば、銅材）で構成することにより、放熱用金属板１４とリードフレーム２との熱膨張係数の違いによる反りは抑制され、前記のような硬化工程前の逆方向の反り加工を低減することができるとともに、さらに反りの無い高精度な製品形状を有する熱伝導性基板２１を構成することができる。
【００５０】
図４を用いて、前記の逆方向の反り加工を放熱用金属板１４に対し施す方法について説明する。すなわち、駆動用ローラ１９，２０に張架されたコンベアベルト１８に、放熱用金属板１４を載置し、加工用の上ローラ１６と対向する位置に配置した一対の下ローラ１７間を通過させることにより、一対の下ローラ１７で放熱用金属板１４を上ローラ１６の外周面に対し加圧、曲げ加工し、所定形状の逆方向の反りを加工するのである。前記のような上ローラ１６により、放熱用金属板１４平面の一方向の曲げ加工は、容易に確実に行うことができる。
【００５１】
なお、完成製品である熱伝導性基板２１の反り具合に応じて、金型によるプレス加工により、放熱用金属板１４平面の二方向の同時曲げ加工を、短時間で効率的に行っても同等以上の効果を奏する。特に、製品の品種毎に異なる配線パターンを有する放熱用金属板１４に対して、自在に所定の逆方向の反り矯正ができ、熱硬化性組成物１の硬化工程後において、反りの無い熱伝導性基板を得ることができるという効果を奏する。
【００５２】
また、金型によるプレス加工により、リードフレーム２平面の二方向の同時曲げ加工を行う場合、金型の温度とリードフレーム２の温度をそれぞれある一定の温度にある状態で加圧することにより安定した曲げ量が得られる。図５はその一実施の形態の測定データであり、金型を所定温度（１２０℃以上）に設定した状態で、リードフレーム２を各加圧スタート温度に達した時点で加圧を開始し、プレス加工後のリードフレーム２の反り量を示した図である。この図５は、リードフレーム２が加圧された金型の所定温度に近い高温まで加熱した後に加圧を開始した場合の方が、リードフレーム２の反り量が小さいことを示している。また、リードフレーム２の加圧スタート温度は、反り量と相関関係を有しており、加圧スタート温度により、反り量を自由に調整することができるということを示している。
【００５３】
したがって、図５に示した特性に基づき、所定の設定温度に昇温された金型に常温状態のリードフレーム２を投入して一定温度に昇温した時点で加圧したり、あるいはリードフレーム２をあらかじめ所定の温度まで予熱してから金型に投入することにより、より安定した曲げ加工を行うことができる。
【００５４】
なお、金型の設定温度（所定温度）は、８０〜１５０℃であっても同等の効果を奏する。
【００５５】
図６は図１の（ｃ）〜（ｄ）の加圧工程を示したものである。
【００５６】
前記リードフレーム２の配線パターン２ａは、板体からこの配線パターン２ａの外周の少なくとも一部を図６（ｂ）の上から下へと打抜いて形成したもので、外周に貫通溝３が形成されている。この配線パターン２ａの打抜き側面、つまり上面側に熱硬化性組成物１を当接させる。そして先ずこのリードフレーム２の前記打抜き側面とは反対側面つまり下面に図６（ａ），（ｂ）のごとく下金型２３を当接させ、次に放熱用金属板１４側つまり上面側から上金型２４により熱硬化性組成物１をリードフレーム２側に押圧する。
【００５７】
するとこれにより熱硬化性組成物１の一部がリードフレーム２の貫通溝３方向へと流動することになる。この場合、リードフレーム２の打抜き側、つまり図６（ｂ），（ｃ）の上面側の配線パターン２ａの両側は図６（ｄ）の２ｂのごとく湾曲した状態となっている。このため、熱硬化性組成物１および配線パターン２ａ間に存在していた空気は配線パターン２ａ間の貫通溝３方向へとスムーズに流動することとなり、この結果として配線パターン２ａ間は前記熱硬化性組成物１で充満された状態となって配線パターン２ａの定形性が高まり、また前記空気は配線パターン２ａ、熱伝導シート６間からスムーズに脱気することができるので、配線パターン２ａから熱硬化性組成物１を介しての放熱用金属板１４への熱伝導性が高まる。
【００５８】
またこの様なリードフレーム２と熱硬化性組成物１の一体化時に配線パターン２ａの打抜き側面とは反対側面、つまり図６（ｂ），（ｃ）の下面側に下金型２３を当接させているので、下金型２３に接する配線パターン２ａ面に、熱硬化性組成物１が漏れ広がることが少なくなる。
【００５９】
つまり配線パターン２ａの打抜き側とは反対側（図６（ｂ），（ｃ）の下面側）には、図６（ｄ）のごとくこの打抜き時に形成されるバリ２ｃが配線パターン２ａの両側から下方に突出しており、このバリ２ｃが下金型２３に当接して丁度堰の作用を果たし、この堰によって上記熱硬化性組成物１の漏れ広がりを抑制することができるのである。
【００６０】
そしてこの様に配線パターン２ａの熱硬化性組成物１とは反対側面に熱硬化性組成物１が漏れ広がることが少なくなれば、この配線パターン２ａの下面から不要な熱硬化性組成物１を除去する工程が簡略化、または廃止することができる。つまり配線パターン２ａのこの面は上述のごとく各種電子部品の実装スペースであったり、電子部品の電気的接続スペースであったりするので、不要物の付着は好ましくなく、よってこの付着があれば除去をしなければならないのである。
【００６１】
なお、図６の２５は上金型２４外周の金型であり、これでリードフレーム２の外周を押え、また上金型２４の上下動を案内させる。
【００６２】
また、下金型２３の外周部には枠状に上方に突出する突起２３ａが設けられ、これにより熱硬化性組成物１の外周への漏れ出しを防止している。
【産業上の利用可能性】
【００６３】
本発明による熱伝導性基板の製造方法は、放熱用金属板に直接、熱硬化性組成物を貼り付けることにより工程が簡単な熱伝導性基板の製造方法を提供することができ、従来のように事前に熱伝導シートを製作する工程や熱伝導シートを乗せるための基材が不要となり、コストを抑えることができ、また、放熱用金属板に直接、熱硬化性組成物を塗布する場合に塗布量を調整することにより全体の熱硬化性組成物のバランスをとることが容易にでき、安定した熱硬化性組成物の製造を実現することができ、電子機器における大電力回路などに使用される熱伝導性基板の製造などの用途として有用である。
【図面の簡単な説明】
【００６４】
【図１】（ａ）〜（ｅ）はそれぞれ本発明の一実施の形態における熱伝導性基板の製造方法を説明する概略製造工程図
【図２】同熱伝導性基板の概要側断面図
【図３】（ａ），（ｂ）はそれぞれ同反りの事前補整を説明する概要側断面図
【図４】同反り補整加工の方法を説明する概要側面図
【図５】実施の形態の測定データを示すグラフ
【図６】（ａ）〜（ｄ）は加工工程を示す図
【図７】（ａ）〜（ｅ）はそれぞれ従来における熱伝導性基板の製造方法を説明する概略製造工程図
【符号の説明】
【００６５】
１  熱硬化性組成物
２  リードフレーム
３  貫通溝
４  端子
５  モーノポンプ
６  熱伝導シート
１２  フィルム
１３  ローラ
１４，１４ａ  放熱用金属板
１６  上ローラ
１７  下ローラ
１８  コンベアベルト
１９，２０  駆動用ローラ
２１  熱伝導性基板
【図１】
2006156722.tif 000003
【図２】
2006156722.tif 000004
【図３】
2006156722.tif 000005
【図４】
2006156722.tif 000006
【図５】
2006156722.tif 000007
【図６】
2006156722.tif 000008
【図７】
2006156722.tif 000009